(57)【特許請求の範囲】
【請求項１】
ソケット本体と、
該ソケット本体に配列され、それぞれが可動片及び固定片を有する複数のコンタクトと、
前記ソケット本体上に横方向に移動可能に配置され、その移動により前記コンタクトの可動片を固定片に対して移動させるコンタクト作動部材と、
前記ソケット本体に回動可能に支持され、その回動によりコンタクト作動部材を横方向に移動させるレバーと、
を備え、
前記レバーは、一端にレバーを回動させる押圧部が形成され、他端にコンタクト作動部材を横方向に移動させるべく、前記コンタクト作動部材に形成されている湾曲突部に係合する受け部分と前記コンタクト作動部材を押す押圧する部分とを有する断面Ｓ字形の弾性部材が一体に形成されている、
ことを特徴とするＩＣソケット。
【請求項２】
四角形のソケット本体と、
該ソケット本体に配列され、それぞれが可動片及び固定片を有する複数のコンタクトと、
前記ソケット本体上に対角線方向に横方向に移動可能に配置され、その移動により前記コンタクトの可動片を固定片に対して移動させるコンタクト作動部材と、
該コンタクト作動部材の対向する２つの角部を支点部分として逆Ｖ字形またはＬ字形の両端部にて枢支され、かつ交叉部にて押圧されることで回動され、その回動によりコンタクト作動部材を横方向に移動させる逆Ｖ字形またはＬ字形のレバーと、
を備え、
前記逆Ｖ字形またはＬ字形のレバーは、前記両端部に前記断面Ｓ字形に形成された弾性部材が一体に形成されている、
ことを特徴とする請求項１に記載のＩＣソケット。
【請求項３】
前記コンタクト作動部材は、枠形をなし、ＩＣパッケージ装着部が設けられていることを特徴とする請求項２に記載のＩＣソケット。
【請求項４】
前記コンタクト作動部材には、前記断面Ｓ字形に形成された弾性部材の受け部分が当接する部分に対応して湾曲突部が形成されていることを特徴とする請求項３に記載のＩＣソケット。
【請求項５】
前記ＩＣパッケージは、ボール・グリッド・タイプであることを特徴とする請求項４に記載のＩＣソケット。
【請求項６】
前記ＩＣパッケージ装着部は、四角形をなし、角部に断面鉤型の位置決め壁が設けられていることを特徴とする請求項４に記載のＩＣソケット。
【発明の詳細な説明】
【０００１】
【発明の属する技術分野】
本発明は、ソケット本体のコンタクトとＩＣパッケージの外部端子との開閉を行うコンタクト開閉機構を有するＩＣソケットに関するもので、特に、コンタクトの開閉手段にシャフトやレバーを押圧するカバーを用いずに、レバーのみでコンタクトの開閉を行うように形成され、カム機構に、Ｓ字形の受け部分と押圧する部分とを一体に形成した弾性部材を介してレバーを用いて、弾性部材のＳ字形の受け部分に、支点と作用点の変動を矯正する形状を適用するように利用するＩＣソケットに係わるものである。
【０００２】
【従来の技術】
従来、電気部品としてのＩＣパッケージ等は、ＩＣソケットのソケット本体に装着し、傾斜カムを有する移動板を操作部材の押圧により傾斜カムを介して横方向に移動して成るＩＣソケットが知られている。
【０００３】
【発明が解決しようとする課題】
従来のこのようなＩＣソケットが、例えば特許第２９７３４０６号公報に記載されている。
【０００４】
同公報に記載、図示されるように、従来におけるこのようなＩＣソケットは、ソケット本体の上面に沿い横方向に移動操作される移動板を有し、この移動板を操作部材の作動により傾斜カム機構を介して一方向に横方向に移動することによって、ソケット本体のコンタクトの弾性接片をその弾性に抗して一方向に変位させてコンタクトと外部接点との接触解除状態を形成し、同弾性接片の復元力による他方向への変位によって移動板を他方向に横方向に移動させると共に、弾性接片を接点の側面に当接してコンタクトと外部接点との接触状態を形成するようにコンタクト開閉機構が構成されている。
【０００５】
しかしながら、このようなＩＣソケットは傾斜カム機構の構成に２種類以上の部品を用いるために、部品点数が多くなることで、コスト高になる等の不利な問題が見られる。
【０００６】
従って、本発明の目的は、このような従来における問題を解決するために、コンタクトの開閉手段にシャフトやレバーを押圧するカバーを用いずに、レバーのみでコンタクトの開閉を行うように形成され、カム機構に、Ｓ字形の受け部分と押圧する部分とを一体に形成した弾性部材を介してレバーを用いて、弾性部材のＳ字形の受け部分に、支点と作用点の変動を矯正する形状を適用するように利用するＩＣソケットを提供することにある。
【０００７】
【課題を解決するための手段】
上述の目的を達成するために、本発明のＩＣソケットは、ソケット本体と、該ソケット本体に配列され、それぞれが可動片及び固定片を有する複数のコンタクトと、前記ソケット本体上に横方向に移動可能に配置され、その移動により前記コンタクトの可動片を固定片に対して移動させるコンタクト作動部材と、前記ソケット本体に回動可能に支持され、その回動によりコンタクト作動部材を横方向に移動させるレバーとを備え、前記レバーは、一端にレバーを回動させる押圧部が形成され、他端にコンタクト作動部材を横方向に移動させるべく、前記コンタクト作動部材に形成されている湾曲突部に係合する受け部分と前記コンタクト作動部材を押す押圧する部分とを有する断面Ｓ字形の弾性部材が一体に形成されていることを特徴とする。
【０００８】
また、本発明のＩＣソケットは、四角形のソケット本体と、該ソケット本体に配列され、それぞれが可動片及び固定片を有する複数のコンタクトと、前記ソケット本体上に対角線方向に横方向に移動可能に配置され、その移動により前記コンタクトの可動片を固定片に対して移動させるコンタクト作動部材と、該コンタクト作動部材の対向する２つの角部を支点部分として逆Ｖ字形またはＬ字形の両端部にて枢支され、かつ交叉部にて押圧されることで回動され、その回動によりコンタクト作動部材を横方向に移動させる逆Ｖ字形またはＬ字形のレバーとを備え、前記逆Ｖ字形またはＬ字形のレバーは、前記両端部に前記断面Ｓ字形に形成された弾性部材が一体に形成されていることを特徴とする。
【０００９】
さらに、本発明のＩＣソケットは、前記コンタクト作動部材が、枠形をなし、ＩＣパッケージ装着部が設けられていることを特徴とする。
【００１０】
さらにまた、本発明のＩＣソケットは、前記コンタクト作動部材には、前記断面Ｓ字形に形成された弾性部材の受け部分が当接する部分に対応して湾曲突部が形成されていることを特徴とする。
【００１１】
本発明のＩＣソケットは、前記ＩＣパッケージがボール・グリッド・タイプであることを特徴とする。
【００１２】
また、本発明のＩＣソケットは、前記ＩＣパッケージ装着部が、ほぼ四角形をなし、角部に断面鉤形の位置決め壁が設けられていることを特徴とする。
【００１３】
本発明のその他の目的や特徴および利点は、添付図面に示される本発明のＩＣソケットの実施形態についての以下の詳細な説明から明らかである。
【００１４】
【発明の実施の形態】
（実施例）
図１と、図２および図３は、本発明のＩＣソケットの一実施例を示す平面図、およびコンタクトの各開閉時の中央縦断面図である。
【００１５】
図１、図２および図３に示されるように、本発明のＩＣソケット１は、ＩＣパッケージ６を装着して電気的接続を形成する挟み込み形のコンタクト８を有するタイプのＩＣソケットであって、ほぼ四角形の固定のソケット本体２と、この四角形の固定のソケット本体２内に対角線方向の１つの方向（Ｘ方向）に横方向に移動可能に配置されるコンタクト作動部材３と、逆Ｖ字形またはＬ字形をなし、コンタクト作動部材３の対向する２つの角部、すなわち図１の中央上下の角部３ｂ、３ｄ、を支点部分として逆Ｖ字形またはＬ字形の両端部４ｂ、４ｂをそれぞれ支点として枢支されて交叉部４ａにて下方に押圧される逆Ｖ字形またはＬ字形のレバー４と、この逆Ｖ字形またはＬ字形のレバー４の両端部４ｂ、４ｂを上記支点部分でそれぞれ受ける断面ほぼＳ字形の弾性部材９を有するカム機構５とから構成されている。また、本実施例においては、ＩＣパッケージ６にはボール・グリッド・タイプのＩＣパッケージが適用されている。カム機構５の弾性部材９は、上下の彎曲部９ａ、９ｂがソケット本体２およびコンタクト作動部材３に係合され、中央部９ｃにおいてレバー４の端部４ｂが係合されている。特に、コンタクト作動部材３側の角部３ｂ、３ｄには、弾性部材９の彎曲部９ａに係合するように対応する彎曲突部３ｂ’、３ｄ’が設けられている。
【００１６】
このように、本発明のＩＣソケット１は、ＩＣパッケージ６が装着されるコンタクト作動部材３がほぼ四角形のソケット本体２内に移動可能に収容され、このコンタクト作動部材３がソケット本体２内を、例えばソケット本体２の対角線の１つの方向（Ｘ方向）に沿って水平方向に移動することができる。さらに、このコンタクト作動部材３を移動するために、逆Ｖ字形またはＬ字形のレバー４が用いられている。この逆Ｖ字形またはＬ字形のレバー４は、先の移動方向の対角線方向（Ｘ方向）と直交する対角線方向（Ｙ方向）におけるソケット本体２の角部２ｂ、２ｄとコンタクト作動部材３の角部３ｂ、３ｄとを、レバー４の枢動支点としてレバー４が枢動可能に配設され、この枢動支点部分に断面ほぼＳ字形の弾性部材９を介してカム機構５が設けられている。
【００１７】
このような本発明のＩＣソケット１において、先ず、ソケット本体２は、ほぼ四角形をなしていて、コンタクト作動部材３を中に収容しており、逆Ｖ字形またはＬ字形のレバー４の交叉部４ａが角部２ａに配置されると共に、レバー４の端部４ｂ、４ｂが角部２ｂ、２ｄにそれぞれ配置されていて、レバー４の両端部４ｂ、４ｂが枢支点として作用し、レバー４の交叉部４ａを押圧することによってレバー４が下方に枢動される。従って、レバー４の交叉部４ａが押圧部として作用するものである。また、ソケット本体２には多数の挟み込み形のコンタクト８が設けられており、各コンタクト８は、コンタクト部材８ａ、８ｂの組から成っていて、コンタクト部材８ａが可動接片部分としてコンタクト作動部材３の格子部材１０によって横方向に移動されて、コンタクト部材８ａ、８ｂ間にＩＣパッケージ６の半球状や円形スタッド状の突出する外部端子７が、図３のＩＣソケット１のコンタクト開状態の時に挟み込まれるように形成されている。
【００１８】
また、コンタクト作動部材３は、ソケット本体２内に収容されており、各角部３ａ、３ｂ、３ｃ、３ｄがソケット本体２の角部２ａ、２ｂ、２ｃ、２ｄにそれぞれ対応して配置されており、角部３ａ、３ｂ、３ｃ、３ｄにＩＣパッケージ６を装着するためのカギ形の位置決め壁１１ａ、１１ｂ、１１ｃ、１１ｄが設けられると共に、コンタクト作動部材３の内側の部分に多数の孔１４が設けられていてコンタクト８が貫通して延びている。さらにまた、ソケット本体２の角部２ｃには、コンタクト作動部材３の角部３ｃとの間にコイルスプリングのような圧縮ばね１３が設けられていて、コンタクト作動部材３を対角線のＸ方向に押圧している。
【００１９】
図１に示されるように、ソケット本体２の左半部分とコンタクト作動部材３の左半部分との側辺部分の間には、逆Ｖ字形またはＬ字形のレバー４が設けられていて、上述したように、レバー４の両端部４ｂ、４ｂが枢支点として作用して枢動できるように構成されている。また、レバー４の両端部４ｂ、４ｂとコンタクト作動部材３の間には断面ほぼＳ字形の弾性部材９が配置されていて、レバー４の押圧作動時にカム機構５の一部材として作動するように設けられている。このレバー４の押圧作動によるコンタクト作動部材３の水平方向の動きは、変位量Ｓで表わされる。この変位量Ｓは、コンタクト８のコンタクト部材８ａの可動接片部分の移動量でもある。
【００２０】
従って、図２に示されるように、レバー４が上方に上がっているフリーな状態において、コンタクト作動部材３は、コンタクト８のコンタクト部材８ａの弾性力によって左方に押圧されて彎曲突部３ｂ’、３ｄ’が弾性部材９の彎曲部９ａにそれぞれ係合し、弾性部材９の下方の彎曲部９ｂがコンタクト作動部材３の角部３ｂ、３ｄによりそれぞれ押圧されており、これによって、コンタクト作動部材３が図２の左方位置に位置され、コンタクト８はコンタクト部材８ａ、８ｂが近接した接触解除状態にある。
【００２１】
また、カム機構５は、レバー４の端部４ｂ、４ｂがそれぞれ当接する断面Ｓ字形の板ばねのような弾性部材９、９と、これらＳ字形の弾性部材９、９を受ける受け部としての角部３ｂ、３ｄから形成されている。コンタクト作動部材３は、上記したように周辺部分が枠形をなし、その中側にＩＣパッケージ装着部１２が形成されており、さらにソケット本体２のコンタクト８のコンタクト部材８ａ、８ｂの上部部分を挟み込むための多数の孔１４が設けられている。従って、コンタクト作動部材３の多数の孔１４によって形成される孔１４、１４間の格子部材１０を挟んでコンタクト部材８ａ、８ｂが挿入されるように各組のコンタクト８が配設されている。
【００２２】
このように本発明のＩＣソケット１においては、コンタクト８の開閉手段としてレバー４のみでコンタクト８の開閉を行うように形成されており、カム機構５に、Ｓ字形の受け部分と押圧する部分とを一体に形成した弾性部材９を介してコンタクト作動部材３の彎曲突部３ｂ’、３ｄ’で受けるレバー４を用いて、弾性部材９のＳ字形の受け部分に、支点と作用点の変動を矯正する形状を適用するように利用している。
【００２３】
上記したように、本発明のＩＣソケット１は、ＩＣパッケージ６を挿入して電気的接続を形成する挟み込みコンタクト８を有する固定のソケット本体２と、この固定のソケット本体２内に横方向に移動可能に配置されるコンタクト作動部材３と、このコンタクト作動部材３の対向する２つの角部３ｂ、３ｄを支点部分としてＶ字の頂部またはＬ字の端部にて枢支される逆Ｖ字形またはＬ字形のレバー４とを有している。
【００２４】
従って、本発明のＩＣソケット１においては、ＩＣパッケージ６を挿入して電気的接続を形成する挟み込みコンタクト８の開閉手段としてレバー４のみでコンタクト８の開閉を行うように、カム機構５に、Ｓ字形の受け部分と押圧する部分とを一体に形成した弾性部材９を介して作動するレバー４を用いて、弾性部材９のＳ字形の部分の対応する受け部分に、支点と作用点の変動を矯正する形状を用いるように構成している。さらにまた、コンタクト作動部材３の内側部分には、ほぼ正方形状のＩＣパッケージ装着部１２が設けられており、このＩＣパッケージ装着部１２は、ＩＣパッケージ６の外部端子７のためのコンタクト８を挿通する多数の孔１４が格子状に配列して設けられていて、コンタクト作動部材３の横方向の移動によりＩＣパッケージ６の外部端子７がソケット本体２のコンタクト８と接離できるように接触解除位置（図２）と、接触位置（図３）に移動する構成となっている。従って、図３の位置で、ＩＣパッケージ６の外部端子７がソケット本体２のコンタクト８のコンタクト部材８ａ、８ｂと接触できるようにコンタクト８の一対のコンタクト部材８ａ、８ｂの内の、一方のコンタクト部材８ａが可動コンタクトとして開くようになっている。
【００２５】
さらに、コンタクト作動部材３は図１の平面図において左右に横方向に移動するもので、図示の右角部３ｃにおいてソケット本体２の角部２ｃとの間に、コイルばねのような圧縮ばね１３が設けられており、この圧縮ばね１３によって左方に押圧されており、４つの角部３ａ、３ｂ、３ｃ、３ｄにＩＣパッケージ６を装着時に案内、支持し、かつ位置決めするように横断面ほぼ鉤形の案内壁部材１１ａ、１１ｂ、１１ｃ、１１ｄが立設されている。
【００２６】
レバー４は、図１に示されるように、ソケット本体２の左方の角部２ａにおいて、Ｖ字形またはＬ字形の交叉部４ａが紙面に対して上方に浮上した接触解除位置（図２）にあって、レバー４のこの交叉部４ａを垂直方向に押圧することによって、Ｖ字形またはＬ字形の２つの端部４ｂ、４ｄを支点として作動できるように、断面Ｓ字形の弾性部材９を介してコンタクト作動部材３の、図１の中央に示される２つの角部３ｂ、３ｄにおいて枢動可能に係合支持されている。また、このコンタクト作動部材３の２つの角部３ｂ、３ｄは、図２および図３に示されるように、断面がほぼＳ字形の弾性部材９に対応した形状をなしていて、弾性部材９を受けるように彎曲突部３ｂ’、３ｄ’がそれぞれ設けられている。
【００２７】
図示されるように、本発明のＩＣソケット１においては、レバー４の押圧作動によってコンタクト作動部材３を横方向に移動してコンタクト８を開放移動し、閉合時の開状態とするものである。
【００２８】
すなわち、図２のフリー状態の接触解除位置において、レバー４の押圧部である交叉部４ａを下方に押せば、レバー４は端部４ｂの上方角部を支点として回動して下方角部にて弾性部材９を図示で右方に押すので、この弾性部材９の動きがコンタクト作動部材３に伝えられて、弾性部材９を介してコンタクト作動部材３を右方に押して横方向に移動させるようになす。従って、このコンタクト作動部材３の横方向の移動（変位量Ｓ）によって、ソケット本体２に立設されたコンタクト８の上部の可動接片部分８ａが、コンタクト作動部材３の多数の孔１４により形成される格子部材１０によって図３に示されるように右方向に押圧されて開かれ、開状態となる。
【００２９】
従って、図３のこのようなコンタクト開状態において、コンタクト作動部材３のＩＣパッケージ装着部１２にＩＣパッケージ６を装着すれば、ＩＣパッケージ６の半球状または円形スタッド状の突出した外部端子７が開状態のコンタクト部材８ａ、８ｂ間に挟み込まれるように嵌合されるので、ＩＣパッケージ６の外部端子７がコンタクト８と良好に接触されてコンタクト８のコンタクト部材８ａ、８ｂが電気的に接続された閉路状態となる。
【００３０】
また、ＩＣパッケージ６の取り出しについては、レバー４が押圧されてコンタクト作動部材３内に挿入された状態において、ＩＣパッケージ６をロボットや他の手段、または手作業等によって外に取り出して、次いで、レバー４を上方に引き上げれば、図２に示されるように多数のコンタクト８のコンタクト部材８ａの弾性力によってコンタクト作動部材３の格子部材１０を介して左方に押圧されてコンタクト作動部材３が移動されるので、ＩＣソケット１をフリーな状態にすることができる。
【００３１】
このように、本発明のＩＣソケット１においては、ＩＣソケット１へのＩＣパッケージ６の挿入作業がロボット等の自動機や、手作業によって好適に行うことができ、ＩＣパッケージ６のＩＣソケット１への実装作業の効率を向上し、かつ改善することが出来る。
【００３２】
上記のように構成された本発明が適用されるＩＣソケット１において、コンタクトの開閉手段にシャフトやレバーを押圧するカバーを用いずに、レバー４のみの操作でコンタクト８の開閉操作が容易にでき、コンタクト８が良好に接触できる。
【００３３】
【発明の効果】
以上説明したように、本発明の請求項１記載のＩＣソケットは、ＩＣパッケージを挿入して電気的接続を形成する挟み込みコンタクトを有するＩＣソケットにおいて、コンタクトの開閉手段としてレバーのみでコンタクトの開閉を行うように、カム機構にほぼＳ字形の受け部分と押圧する部分とを一体に形成したレバーを用い、該Ｓ字形の部分の対応する受け部分に、支点と作用点の変動を矯正する形状を用いているので、コンタクト開状態において、コンタクト作動部材のＩＣパッケージ装着部にＩＣパッケージを装着すれば、ＩＣパッケージの外部端子が開状態の各コンタクト可動接片部分に挟み込まれるように嵌合されるので、コンタクトの開閉手段にシャフトやレバーを押圧するカバーを用いずに、レバーのみでコンタクトの開閉操作が容易にでき、部品数を少なくしてコストを低減することができ、製作期間を短縮することができると共に、コンタクトが良好に接触できる。
【００３４】
本発明の請求項２記載のＩＣソケットは、ほぼ四角形の固定のソケット本体と、該四角形の固定のソケット本体内に対角線方向に横方向に移動可能に配置されるコンタクト作動部材と、該コンタクト作動部材の対向する２つの角部を支点部分としてほぼＶ字またはＬ字の両端部にて枢支され、かつ交叉部にて押圧される逆Ｖ字形またはＬ字形のレバーと、該逆Ｖ字形またはＬ字形のレバーの端部を受ける弾性部材を有するカム機構とを有し、該カム機構の弾性部材が断面ほぼＳ字形であるので、部品数を少なくしてコストを低減することができ、製作期間を短縮することができる。
【００３５】
本発明の請求項３記載のＩＣソケットは、前記コンタクト作動部材が、枠形をなし、ＩＣパッケージ装着部が設けられているので、ＩＣパッケージの装着が容易に、かつ簡単に、確実にできる。
【００３６】
本発明の請求項４記載のＩＣソケットは、前記カム機構が、前記レバーの端部が当接する前記Ｓ字形の弾性部材を受けるように前記コンタクト作動部材に設けられた彎曲突部を有するので、簡単な形状の弾性部材を用いてカム機構を良好に構成することができる。
【００３７】
本発明の請求項５記載のＩＣソケットは、前記ＩＣパッケージがボール・グリッド・タイプであるので、ＩＣパッケージを良好に装着することができ、かつ簡単な構造に形成することができる。
【００３８】
本発明の請求項６記載のＩＣソケットは、前記ＩＣパッケージ装着部が、ほぼ四角形をなし、角部に断面鉤形の位置決め壁が設けられているので、ＩＣパッケージを良好に案内して好適に装着することができる。
【図面の簡単な説明】
【図１】本発明のＩＣソケットの平面図である。
【図２】図１のＡ−Ａ線に沿った本発明のＩＣソケットの断面図である。
【図３】レバーを押圧作動した時の図２と同様な断面図である。
【符号の説明】
１      ＩＣソケット
２      ソケット本体
３      コンタクト作動部材
４      レバー
５      カム機構
６      ＩＣパッケージ
７      外部端子
８      コンタクト
９      弾性部材
１０    格子部材
１１    位置決め壁
１２    ＩＣパッケージ装着部
１３    圧縮ばね
１４    孔
【図１】
0003771811.tif 000002
【図２】
0003771811.tif 000003
【図３】
0003771811.tif 000004